(57)【特許請求の範囲】
【請求項１】
多数の磁石と磁気センサを検査対象の管の内周に対応して配設した漏洩磁束ピグを管の軸方向に移動させながら所定間隔毎に夫々の磁気センサが出力するデータを収集して検査を行う方法において、漏洩磁束ピグのデータを表示するスクロール可能な第１のデータ表示部に隣接して、路線図のデータを表示するスクロール可能な第２のデータ表示部を構成したことを特徴とする漏洩磁束ピグを用いた管の検査におけるデータ表示機構
【請求項２】
第１のデータ表示部と第２のデータ表示部のスクロールを、夫々独立して操作可能なスクロール操作手段を構成したことを特徴とする請求項１記載の漏洩磁束ピグを用いた管の検査におけるデータ表示機構
【請求項３】
第１のデータ表示部と第２のデータ表示部のスクロールを連動して操作可能な第１のスクロール操作手段を構成すると共に、第１のデータ表示部又は第２のデータ表示部のデータのみをスクロールさせる第２のスクロール操作手段を構成したことを特徴とする請求項１記載の漏洩磁束ピグを用いた管の検査におけるデータ表示機構
【請求項４】
第２のデータ表示部には管の溶接線の位置に対応する表示を行うことを特徴とする請求項１〜３までのいずれか１項に記載の漏洩磁束ピグを用いた管の検査におけるデータ表示機構
【請求項５】
第２のデータ表示部には管に関する情報の表示を行うことを特徴とする請求項１〜４までのいずれか１項に記載の漏洩磁束ピグを用いた管の検査におけるデータ表示機構
【請求項６】
管に関する情報は、少なくとも管の種類と長さを含むことを特徴とする請求項５記載の漏洩磁束ピグを用いた管の検査におけるデータ表示機構
【発明の詳細な説明】
【０００１】
【発明の属する技術分野】
本発明は、漏洩磁束ピグを用いた管の検査におけるデータ表示機構に関するものである。
【０００２】
【従来の技術】
都市ガスの高圧幹線等のパイプラインの健全性、例えば減肉部等の欠陥の有無を検査する方法の一つとして、漏洩磁束法がある。この方法は、多数、例えば数百の磁石と磁気センサを検査対象の管の内周に対応して配設した漏洩磁束ピグを管の軸方向に移動させながら所定間隔（例えば１〜数mm）毎に磁気センサで漏洩磁束に対応するデータを収集し、これらの収集したデータを解析して減肉部の有無等を検出するものである。
このように漏洩磁束ピグにより収集したデータを解析する際、管の溶接線の位置を特定することは、欠陥の位置の特定を行うために重要な作業となる。
【０００３】
このために従来は、漏洩磁束ピグにより収集したデータを解析するためのコンピュ−タのディスプレイの画面上のデータ表示部ａに、例えば図３に示すような形態で漏洩磁束ピグの各磁気センサのデータｄ１〜ｄｎを表示し、この表示されているデータｄ１〜ｄｎの画面をスクロール操作ボタンｂにより漏洩磁束ピグの移動方向にスクロールしながら信号レベルを観察して溶接線の位置を検出し、その位置を特定する。
即ち、漏洩磁束ピグが溶接線の位置に至ると、溶接線の部分では管の肉厚が増えるため、漏洩磁束は、通常は減る傾向にあり、この傾向を利用して、各磁気センサ毎に漏洩磁束があるレベル以下のデータを見つけ、図３に示すように、それがセンサ方向、即ち管の周方向にある程度連続している場合に溶接線の位置ｃであると判定する。
図の例では、磁気センサのレベルの低い個所が暗くなるような表示としており、この表示は、溶接線位置の近傍についてのみ図示して、他は省略している。尚、図中に表示される多数の小矩形は、夫々単位データを示すものである。
このように溶接線の位置ｃに対応する信号レベルの低い個所がデータ表示部ａのデータｄ１〜ｄｎに現れた場合には、スクロール操作ボタンｂにより適宜位置で画面のスクロールを停止し、溶接線であると判断をして、その位置ｃの特定を行った後、その位置ｃを示すデータの横側に、図に示されるようなシンボルｄを入力して、後のデータ解析に利用する。尚、このシンボルｄは、漏洩磁束ピグのデータｄ１〜ｄｎをスクロールする際に連動して移動するように表示される。
【０００４】
【発明が解決しようとする課題】
以上のような溶接線の位置の特定において、漏洩磁束ピグにより収集したデータの表示のみでは、管の形状や溶接線の部分の管の内面の形状によっては、溶接線の位置が明確には判断できないこともある。
このような場合には、用紙に描かれている管の路線図を参照して、判断の一助とするが、漏洩磁束ピグの移動に対応する画面上のデータのスクロールに対して、路線図上の管の経路を追って行かなければならないので、作業効率が悪く、また場所を間違いやすいというような課題がある。
本発明はこのような課題を解決することを目的とするものである。
【０００５】
【課題を解決するための手段】
上述した課題を解決するために本発明では、多数の磁石と磁気センサを検査対象の管の内周に対応して配設した漏洩磁束ピグを管の軸方向に移動させながら所定間隔毎に夫々の磁気センサが出力するデータを収集して検査を行う方法において、漏洩磁束ピグのデータを表示するスクロール可能な第１のデータ表示部に隣接して、路線図のデータを表示するスクロール可能な第２のデータ表示部を構成した漏洩磁束ピグを用いた管の検査におけるデータ表示機構を提案する。
【０００６】
そして本発明では、前記の構成において、第１のデータ表示部と第２のデータ表示部のスクロールを、夫々独立して操作可能なスクロール操作手段を構成することを提案する。
【０００７】
又は本発明では、前記の構成において、第１のデータ表示部と第２のデータ表示部のスクロールを連動して操作可能な第１のスクロール操作手段を構成すると共に、第１のデータ表示部又は第２のデータ表示部のデータのみをスクロールさせる第２のスクロール操作手段を構成することを提案する。
【０００８】
また本発明では、以上の構成において、第２のデータ表示部には管の溶接線の位置に対応する表示を行うことを提案する。
【０００９】
また本発明では、以上の構成において、第２のデータ表示部には管に関する情報の表示を行うこと、そして、管に関する情報としては、少なくとも管の種類と長さを含むことを提案する。
【００１０】
以上の本発明によれば、漏洩磁束ピグのデータと路線図のデータを、ディスプレイの画面上の隣接した夫々のデータ表示部において表示するので、夫々のデータ表示部のデータの対応位置をスクロールにより一致させることにより、漏洩磁束ピグのデータにおける溶接線の位置の判定、及びその位置の入力を、その位置に対応する路線図のデータを参照しながら、効率的に行うことができる。
この際、夫々のデータ表示部のデータのスクロールの操作は、個々に独立して行っても良いが、連動させれば操作が容易である。そして後者の操作において、各データの位置がずれた場合には、いずれかのデータ表示部のデータをスクロールして位置を調節することができる。
表示する路線図のデータは、溶接線の位置に対応する表示とする他、管に関する情報、例えば管の種類や長さを表示すれば、これらの情報を参照することにより、例えば現在の位置が長い管の途中である場合には、次の溶接線の近傍までデータを飛ばすことが可能となり、更に作業効率が向上する。
【００１１】
【発明の実施の形態】
次に本発明の実施の形態を図を参照して説明する。
図１は本発明のデータ表示機構によるディスプレイの画面の構成の実施の形態を示すものである。
符号１は、漏洩磁束ピグにより収集したデータを解析するためのコンピュ−タのディスプレイの画面を示すもので、２はこの画面１上の第１のデータ表示部を示すものである。この第１のデータ表示部２は、図３におけるデータ表示部ａに相当するもので、ここには漏洩磁束ピグの各センサのデータｄ１〜ｄｎをスクロール可能に表示する構成としている。図３と同様に、図の横方向が磁気センサを配設している方向、即ち管の周方向に対応し、図の縦方向は管の軸方向、即ち漏洩磁束ピグの移動方向に対応するものである。
このデータ表示部２におけるデータの表示は、磁気センサのレベルに応じて明度や色を変える等の形態により行うことができる。
図の例では、磁気センサのレベルの低い個所が暗くなるような表示としており、この表示は、溶接線位置の近傍についてのみ図示して、他は省略している。尚、図中に表示される多数の小矩形は、夫々単位データを示すものである。
【００１２】
符号３は、前記第１のデータ表示部２に隣接して構成した第２のデータ表示部であり、この第２のデータ表示部３には路線図のデータをスクロール可能に表示する構成としている。この第２のデータ表示部３に表示する路線図のデータは、路線図に表示されているデータの中から適宜選択するものである。このように、選択して表示する最小のデータは管の溶接線位置４であり、例えば図１に示す横線等の適宜の記号（文字記号、図記号）により表示する。
【００１３】
以上の第１のデータ表示部２及び第２のデータ表示部３は、第１のスクロール操作手段である連動操作ボタン５により連動してスクロール操作可能に構成している。即ち、連動操作ボタン５の押し下げ操作を行うと、漏洩磁束ピグの移動方向に対応するデータのスクロールが開始し、またこの状態において連動操作ボタン５の押し下げ操作を行うと、復帰してデータのスクロールが停止する。
このような連動したスクロール操作においては、第１のデータ表示部２のデータのスクロール距離に対応する漏洩磁束ピグの移動距離と、第２のデータ表示部３のデータのスクロール距離に対応する路線図中の管の距離とが一致するように制御しているが、漏洩磁束ピグで測定した、その移動距離は誤差があるため、連動操作ボタン５による連動スクロールでは第１のデータ表示部２と第２のデータ表示部３の夫々のデータの位置を継続的に一致させておくことはできない。
【００１４】
そこで本発明の表示機構では、第２のデータ表示部３に関しては、そこに表示しているデータのみをスクロールさせる第２のスクロール操作手段を設けており、この第２のスクロール操作手段は、スクロール方向が互いに異なる上方スクロールボタン６ｕと下方スクロールボタン６ｄとから構成している。
【００１５】
以上の構成においては、第１のデータ表示部２に表示されている漏洩磁束ピグのデータについて溶接線位置７を特定する際、この漏洩磁束ピグのデータと路線図のデータを、ディスプレイの画面１上の隣接した夫々のデータ表示部、即ち、第１、第２の表示部２，３において表示するので、夫々のデータ表示部２，３のデータの対応位置、特に溶接線位置４と７を上述した第１、第２のスクロール操作手段の操作により一致させながら作業を進めることができ、従って漏洩磁束ピグのデータにおける溶接線位置７の判断を、その位置に対応する路線図のデータを参照しながら、効率的に行うことができる。
【００１６】
この際、第２のデータ表示部３には、溶接線位置４ばかりでなく、管に関する情報９を表示すれば、さらに作業効率を向上することができる。例えば、管に関する情報、例えば管の種類や長さを表示すれば、これらの情報を参照することにより、例えば現在の位置が長い管の途中である場合には、次の溶接線の近傍までデータを飛ばすことが可能となる。
【００１７】
この他、第２のデータ表示部３に表示する管の情報は、図に示すように管の種類（直管）と長さ（９ｍ）の他、更に他の情報、例えばマイタベンド等の曲管における曲率や角度等を付加して表示することができる。
【００１８】
以上の実施の形態では、各データ表示部のデータのスクロール手段は、連動スクロール手段と、第２のデータ表示部のデータのスクロール手段により構成しているが、他の構成として、第１のデータ表示部２と第２のデータ表示部３のデータのスクロールを、夫々独立して操作可能なスクロール操作手段により構成したり、又は前記連動スクロール手段と、第１のデータ表示部のデータのスクロール手段により構成することもできる。
【００１９】
以上のようにして第１のデータ表示部２のデータにおける溶接線位置７の特定を行った後、その位置７を示すデータの横側に図に示されるようなシンボル８を入力して、後のデータ解析に利用する。このシンボル８は後のデータ解析において、データのスクロールと共に移動するように表示される。
【００２０】
【発明の効果】
本発明は以上のとおりであるので、次のような効果がある。
ａ．漏洩磁束ピグのデータと路線図のデータを、ディスプレイの画面上の隣接した夫々のデータ表示部において表示するので、夫々のデータ表示部のデータの対応位置をスクロールにより一致させることにより、漏洩磁束ピグのデータにおける溶接線の位置の判断を、その位置に対応する路線図のデータを参照しながら、効率的に行うことができる。
ｂ．表示する路線図のデータは、溶接線の位置に対応する表示とする他、管に関する情報、例えば管の種類や長さを表示すれば、これらの情報を参照することにより、例えば現在の位置が長い管の途中である場合には、次の溶接線の近傍までデータを飛ばすことが可能となり、更に作業効率が向上する。
【図面の簡単な説明】
【図１】  本発明によるデータの表示の例を示す説明図である。
【図２】  本発明によるデータの表示と、スクロールにより各データの位置を一致させる操作を説明する説明図である。
【図３】  従来におけるデータの表示の例を示す説明図である。
【符号の説明】
１                  ディスプレイの画面
２                  第１のデータ表示部
３                  第２のデータ表示部
４                  溶接線位置（路線図のデータ上）
５                  連動スクロール操作ボタン
６ｕ                上方スクロールボタン
６ｄ                下方スクロールボタン
７                  溶接線位置（漏洩磁束ピグのデータ上）
【図１】
0003654775.tif 000002
【図２】
0003654775.tif 000003
【図３】
0003654775.tif 000004